(57)【要約】      （修正有）【課題】棒部材を備えたブーツクリップにおいて、棒部材のブーツへの出し入れを容易に行うようにする。【解決手段】左右一対のブーツＬ，Ｒ内に別々に挿入される左右一対の縦向きな棒部材１，２の上部３を連結して二股状に設ける。棒部材１，２の下部内面４Ａ，５Ａをそれぞれ外側に向けて斜め下方に形成する。上部３に環状の摘み８を上方に向けて設けると共に、該環状の摘み８の内側に形成した中空部８Ａの一部に指掛け部を設ける。下部内面４Ａ，５Ａの下縁６，７を水平に形成する。ブーツＬ，Ｒの上縁Ｅに下部４，５の下部内面４Ａ，５Ａが当接したときに両者が突き当たるようなことはなく、左右一対の棒部材１，２を左右一対のブーツＬ，Ｒに容易に押込むことができる。【選択図】図１
0003130034.tif 000002
【実用新案登録請求の範囲】
【請求項１】
左右一対のブーツ内に別々に挿入される左右一対の縦向きな棒部材の上部を連結して二股状に設けたブーツクリップにおいて、前記棒部材の下部内面をそれぞれ左右外側に向けて斜め下方に形成したことを特徴とするブーツクリップ。
【請求項２】
前記上部に環状の摘みを上方に向けて設けると共に、該環状の摘みの内側に形成した中空部の一部に指掛け部を設けたことを特徴とする請求項１記載のブーツクリップ。
【請求項３】
前記下部内面の下縁を水平に形成したことを特徴とする請求項１又は２記載のブーツクリップ。
【請求項４】
前記左右一対の棒部材の内面は平面状であって、これら左右一対の前記内面は互いに対向していることを特徴とする請求項１〜３のいずれか１項に記載のブーツクリップ。
【請求項５】
前記棒部材の上部側の平断面積を下部側の平断面積より大きく形成したことを特徴とする請求項１〜４のいずれか１項に記載のブーツクリップ。
【考案の詳細な説明】
【技術分野】
【０００１】
本考案は、左右一対の細長い支持棒部材を二股状に設けたブーツスタンド等とも称せられるブーツクリップに関するものである。
【背景技術】
【０００２】
従来、この種のものとして左右一対の細長い挟持用の棒部材の上部を連結して二股状に設け、この棒部材の下部をそれぞれ左右に向けて横向きに折り曲げて、さらに前記上部に環状の摘みを上方に向けて設け、棒部材をブーツの内底に向けて挿入することで、左右一対の棒部材によって左右一対のブーツの内側部を挟持させてブーツを立たせておくことができるものが知られている（例えば、特許文献１）。
【特許文献１】実公昭５６−２２８４７号公報
【考案の開示】
【考案が解決しようとする課題】
【０００３】
しかし、従来技術においては棒部材の下部が横向きに折り曲げているので、棒部材をブーツ内に挿入するときに、横向きとなっている棒部材の下部がブーツの上端に突き当たって、挿入をうまく行うことができないばかりか、ブーツの上端が破損してしまうおそれがある。
【０００４】
また、従来技術では、連結部となっている摘みはリング状であるが、ブーツに棒部材を出し入れする際の指掛け箇所がリング状部分だけなので指掛け箇所が少なく、棒部材を出し入れしにくいというおそれもあった。
【０００５】
解決しようとする問題点は、左右一対の細長い挟持用の棒部材を備えたブーツクリップにおいて、棒部材のブーツへの出し入れを容易に行うようにした点である。
【課題を解決するための手段】
【０００６】
請求項１の考案は、左右一対のブーツ内に別々に挿入される左右一対の縦向きな棒部材の上部を連結して二股状に設けたブーツクリップにおいて、前記棒部材の下部内面をそれぞれ左右外側に向けて斜め下方に形成したことを特徴とするブーツクリップである。
【０００７】
請求項２の考案は、前記上部に環状の摘みを上方に向けて設けると共に、該環状の摘みの内側に形成した中空部の一部に指掛け部を設けたことを特徴とする請求項１記載のブーツクリップである。
【０００８】
請求項３の考案は、前記下部内面の下縁を水平に形成したことを特徴とする請求項１又は２記載のブーツクリップである。
【０００９】
請求項４の考案は、前記左右一対の棒部材の内面は平面状であって、これら左右一対の前記内面は互いに対向していることを特徴とする請求項１〜３のいずれか１項に記載のブーツクリップである。
【００１０】
請求項５の考案は、前記棒部材の上部側の平断面積を下部側の平断面積より大きく形成したことを特徴とする請求項１〜４のいずれか１項に記載のブーツクリップである。
【考案の効果】
【００１１】
請求項１の考案によれば、ブーツの上縁に棒部材の下部内面が当接したときに両者が突き当たるようなことはなく、下部内面をブーツに容易に押込むことができる。
【００１２】
請求項２の考案によれば、摘みを摘むだけでなくその内側にある指掛け部に指を掛けることにより、摘みを確実に保持して棒部材をブーツに確実に押込むことができる。
【００１３】
請求項３の考案によれば、ブーツの上縁に棒部材を押込むときに棒部材の下端とブーツの上縁とが局部的に接触することはなく、上縁を傷付けることはない。
【００１４】
請求項４の考案によれば、棒部材をブーツに挿入したときに内面とブーツとは面接触することになり、ブーツの内面を傷付けるようなことをなくすことができる。
【００１５】
請求項５の考案によれば、左右一対の棒部材間の弾発に伴う挟持力を強化して、確実にブーツを保持することができる。
【考案を実施するための最良の形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１７】
図１〜図２は実施例１を示しており、ブーツクリップは、左右一対のブーツＬ，Ｒ内に別々に挿入される左右一対の細長く縦長な挟持用の棒部材１，２を備え、この左右一対の棒部材１，２は平断面が矩形であって、それらの上部３は連結して二股状に設けられている。そして、左側の棒部材１の下部４は外側、すなわち左側に向けて斜め下方に形成している。一方、右側の棒部材２の下部５は外側、すなわち右側に向けて斜め下方に形成している。このため、下部４，５の下部内面４Ａ，５Ａもそれぞれ外側に向けて斜め下方に形成しており、これら下部４，５の下部内面４Ａ，５Ａは正面がハの字形状に配置されている。尚、連結した上部３側においては、左右一対の棒部材１，２の上部３側の間隔Ｌは下部４，５寄りの下部４，５間隔Ｍより大きくして（Ｌ＞Ｍ）、常時下部４，５寄りが閉じるように弾発状態になるように設けている。この左右一対の棒部材１，２は、平断面が矩形で同一面積の帯板をＵ字形状に折り曲げて形成したものである。
【００１８】
さらに、前記下部４，５の下部内面４Ａ，５Ａの下縁６，７は水平に形成されており、また前記棒部材１，２の内面１Ａ，２Ａは前記下部４，５の下部内面４Ａ，５Ａを含めて平面状であって、相互に対向している。
【００１９】
また、前記上部３に先細形状をなした環状の摘み８を上方に向けて設け、さらに摘み８の内側に形成した中空部８Ａの一部に指掛け部９を設けている。この指掛け部９は摘み８と同様な針金形状であって、中空部８Ａにおいて上下方向に配置する縦向き部９Ａと、この縦向き部９Ａの上中下箇所に横向きの上段横向き部９Ｂと、上段横向き部９Ｃと、下段横向き部９Ｄを設けている。
【００２０】
次に前記構成についてその作用を説明する。指掛け部９に指Ｆを掛けて摘み８を摘んで保持し、そして左右一対の棒部材１，２をそれぞれのブーツＬ，Ｒの内底に向けて挿入する。この際、棒部材１，２のそれぞれの下部４，５は斜め下向きとなって外側に向いているので、ほぼ水平なブーツＬ，Ｒの上縁Ｅに水平な下縁６，７が当接した後に下部４，５の下部内面４Ａ，５Ａが当接し、さらに棒部材１，２を押込むと下部４，５の下部内面４Ａ，５Ａに沿って該下部４，５が外側に押し出されるように押圧されるので、ブーツＬ，Ｒの上縁Ｅに下部４，５が突き当たるようなことはない。
【００２１】
このようにして、押込んだ左右一対の棒部材１，２によって左右一対のブーツＬ，Ｒの内側部を挟持させてブーツＬ，Ｒを立たせておくことができる。この際、左右一対の棒部材１，２の内面１Ａ，２Ａは平面状であって、これら左右一対の下部内面１Ａ，２Ａは互いに対向していることにより、内面１Ａ，２ＡとブーツＬ，Ｒとは面接触することになり、ブーツＬ，Ｒの内面を傷付けるようなことはない。
【００２２】
一方、ブーツクリップを取り外すときには、指掛け部９に指を掛けて摘み８を摘んで保持し、そのまま引き上げることにより棒部材１，２をブーツＬ，Ｒより抜き出すものである。
【００２３】
以上のように、前記実施例では請求項１に対応して、左右一対のブーツＬ，Ｒ内に別々に挿入される左右一対の縦向きな棒部材１，２の上部３を連結して二股状に設けたブーツクリップにおいて、前記棒部材１，２の下部内面４Ａ，５Ａをそれぞれ外側に向けて斜め下方に形成したことにより、ブーツＬ，Ｒの上縁Ｅに下部４，５の下部内面４Ａ，５Ａが当接したときに両者が突き当たるようなことはなく、左右一対の棒部材１，２を左右一対のブーツＬ，Ｒに容易に押込むことができる。
【００２４】
また、前記実施例では請求項２に対応して、前記上部３に環状の摘み８を上方に向けて設けると共に、該環状の摘み８の内側に形成した中空部８Ａの一部に指掛け部９を設けたことにより、摘み８を摘むだけでなく指掛け部９に指を掛けることにより、摘み８を確実に保持でき、この結果棒部材１，２を確実にブーツＬ，Ｒに出し入れすることができる。
【００２５】
さらに、前記実施例では請求項３に対応して、下部内面４Ａ，５Ａの下縁６，７を水平に形成したことにより、左右一対の棒部材１，２をそれぞれのブーツＬ，Ｒの内底に向けて挿入する際、ブーツＬ，Ｒのほぼ水平な上縁Ｅに水平な下縁６，７が当接するようになるので、棒部材１，２の下端６，７とブーツＬ，Ｒの上縁Ｅとが局部的に接触することはなく、上縁Ｅを傷付けることはない。
【００２６】
また、前記実施例では請求項４に対応して、前記左右一対の棒部材１，２の内面１Ａ，２Ａは平面状であって、これら左右一対の内面１Ａ，２Ａは互いに対向していることにより、棒部材１，２をそれぞれのブーツＬ，Ｒの内底に向けて挿入したときに内面１Ａ，２ＡとブーツＬ，Ｒとは面接触することになり、ブーツＬ，Ｒの内面を傷付けるようなことはない。
【実施例２】
【００２７】
図３は実施例２を示しており、前記実施例１と同一部分には同一符号を付し、その詳細な説明を省略する。実施例２においては、棒部材１，２の上部３側の幅Ｎを下部４，５側の幅Ｏより大きく形成する（Ｎ＞Ｏ）ことで、棒部材１，２の上部３側の平断面積を下部４，５側の平断面積より大きく形成したものである。
【００２８】
したがって、摘み８を摘んで保持し、左右一対の棒部材１，２をそれぞれのブーツＬ，Ｒの内底に向けて挿入する。この際、棒部材１，２の上部３側の平断面積を下部４，５側の平断面積より大きく形成したことにより、上部３を中心とした左右一対の棒部材１，２間の弾発に伴う挟持力を強化することができる。
【００２９】
このように、実施例２においても実施例１と同様な効果の他に、請求項５に対応して、幅Ｎを幅Ｏより大きく形成して、前記棒部材１，２の上部３側の平断面積を下部４，５側の平断面積より大きく形成したことにより、左右一対の棒部材１，２間の弾発に伴う挟持力を強化して、確実にブーツＬ，Ｒを保持することができる。
【産業上の利用可能性】
【００３０】
以上のように本考案にかかるブーツクリップは、各種の用途に適用できる。
【図面の簡単な説明】
【００３１】
【図１】本考案の第１実施例を示す斜視図である。
【図２】同使用状態を示す差込時の斜視図である。
【図３】本考案の第２実施例を示す斜視図である。
【符号の説明】
【００３２】
１，２  棒部材
１Ａ，２Ａ  内面
３  上部
４Ａ，５Ａ  下部内面
６，７  下縁
８  摘み
８Ａ  中空部
９  指掛け部
Ｌ，Ｒ  ブーツ
Ｎ，Ｏ  幅
【図１】
0003130034.tif 000003
【図２】
0003130034.tif 000004
【図３】
0003130034.tif 000005